【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
超音波を送信するように構成された超音波送信機と、
前記超音波の反射波を受信するように構成された圧電受信機層と、
前記超音波送信機および前記圧電受信機層を保護するように構成されたプラテン層と、
前記プラテン層の音響インピーダンスを指の隆線の音響インピーダンスと整合させるように構成された第１の整合層であって、前記指の隆線の音響インピーダンスと前記プラテン層の音響インピーダンスとの幾何平均に略等しい音響インピーダンスを有する第１の整合層と、
前記反射波を使用して前記指を検出するように構成された超音波センサアレイと、
ハプティックデバイスとを備え、
前記超音波センサアレイおよび前記ハプティックデバイスが互いに機械的に結合され、前記超音波センサアレイおよび前記ハプティックデバイスがハプティックフィードバックを与えるように構成されている、超音波ボタン。
【請求項２】
前記プラテン層の音響インピーダンスを前記圧電受信機層の音響インピーダンスと整合させるように構成された第２の整合層をさらに備え、前記第２の整合層が、前記圧電受信機層の音響インピーダンスと前記プラテン層の音響インピーダンスとの幾何平均に略等しい音響インピーダンスを有する、請求項１に記載の超音波ボタン。
【請求項３】
前記超音波センサアレイが、ＴＦＴベースのセンサアレイまたはシリコンベースのセンサアレイを備える、請求項１に記載の超音波ボタン。
【請求項４】
前記超音波センサアレイが、ユーザを認証するために、前記反射波を使用して前記指の指紋画像情報を生成するように構成され、前記指紋画像情報が、登録、認証、認証されたユーザへの処方された薬剤の送達、またはボタン機能の実行に使用される、請求項３に記載の超音波ボタン。
【請求項５】
前記超音波ボタンに加えられている力を検出するように構成された電気機械スイッチをさらに備え、前記超音波センサアレイおよび前記電気機械スイッチが互いに機械的に結合され、前記超音波センサアレイおよび前記電気機械スイッチが、少なくとも一つのユーザインターフェースを提供するように構成されている、請求項１に記載の超音波ボタン。
【請求項６】
容量感知リングをさらに備え、前記容量感知リングが前記プラテン層の溝の中に配置され、前記超音波センサアレイおよび前記容量感知リングが互いに通信可能に結合され、前記超音波センサアレイおよび前記容量感知リングが、少なくとも一つのユーザインターフェースを提供するように構成されている、請求項１に記載の超音波ボタン。
【請求項７】
前記プラテン層が、ユーザに前記超音波ボタンのロケーションを示すように構成された外部凹みポケット、前記超音波センサアレイのための空間を設けるように構成された内部凹みポケット、前記プラテン層内の切欠き、前記プラテン層内の凹み肩領域を有する切欠き、またはそれらの組合せをさらに備える、請求項１に記載の超音波ボタン。
【請求項８】
前記プラテン層が、サファイア、ゴリラガラス、アルミニウム、ステンレス鋼、金属合金、ポリカーボネート、ポリマー材料、および金属充填プラスチックのうちの少なくとも一つから作られている、請求項１に記載の超音波ボタン。
【請求項９】
前記第１の整合層または前記第２の整合層が、充填剤を有するエポキシベースのハードコーティング、充填剤を有するアクリルベースのハードコーティング、ガラスを有するエポキシベースのハードコーティング、ガラスを有するアクリルベースのハードコーティング、およびガラス層のうちの少なくとも一つから作られている、請求項２に記載の超音波ボタン。
【請求項１０】
超音波送信機と、圧電受信機層と、超音波センサアレイとを備える超音波ボタンを使用して指を検出する方法であって、
プラテン層および第１の整合層を通過する超音波を前記超音波送信機から送信するステップと、
前記第１の整合層において前記プラテン層の音響インピーダンスを前記指の隆線の音響インピーダンスと整合させるステップであって、前記第１の整合層が、前記指の隆線の音響インピーダンスと前記プラテン層の音響インピーダンスとの幾何平均に略等しい音響インピーダンスを有する、ステップと、
前記プラテン層および前記第１の整合層を通過する前記超音波の反射波を前記圧電受信機層において受信するステップと、
前記超音波センサアレイを使用して、前記反射波に基づいて前記指を検出するステップと、
互いに機械的に結合されている前記超音波センサアレイおよびハプティックデバイスを用いて、前記指にハプティックフィードバックを与えるステップとを備える方法。
【請求項１１】
第２の整合層において前記プラテン層の音響インピーダンスを前記圧電受信機層の音響インピーダンスと整合させるステップをさらに備え、前記第２の整合層が、前記圧電受信機層の音響インピーダンスと前記プラテン層の音響インピーダンスとの幾何平均に略等しい音響インピーダンスを有する、請求項１０に記載の方法。
【請求項１２】
前記超音波センサアレイが、ＴＦＴベースのセンサアレイまたはシリコンベースのセンサアレイを備える、請求項１０に記載の方法。
【請求項１３】
前記超音波センサアレイにおいてユーザを認証するために、前記反射波を使用して前記指の指紋画像情報を生成するステップと、
前記指紋画像情報を、登録、認証、認証されたユーザへの処方された薬剤の送達、またはボタン機能の実行に使用するステップとをさらに備える請求項１２に記載の方法。
【請求項１４】
前記超音波ボタンが、前記超音波ボタンに加えられている力を検出するように構成された電気機械スイッチをさらに備え、前記超音波センサアレイおよび前記電気機械スイッチが互いに機械的に結合され、前記超音波センサアレイおよび前記電気機械スイッチが、少なくとも一つのユーザインターフェースを提供するように構成される、請求項１０に記載の方法。
【請求項１５】
前記超音波ボタンが容量感知リングをさらに備え、前記容量感知リングが前記プラテン層の溝の中に配置され、前記超音波センサアレイおよび前記容量感知リングが互いに通信可能に結合され、前記超音波センサアレイおよび前記容量感知リングが、少なくとも一つのユーザインターフェースを提供するように構成される、請求項１０に記載の方法。
【請求項１６】
プラテン層および第１の整合層を通過する超音波を送信するための手段と、
前記プラテン層の音響インピーダンスを指の隆線の音響インピーダンスと整合させるための手段と、
前記プラテン層および前記第１の整合層を通過する前記超音波の反射波を受信するための手段と、
前記反射波に基づいて前記指を検出するための手段と、
前記指にハプティックフィードバックを与えるための手段とを備え、
前記第１の整合層が、前記指の隆線の音響インピーダンスと前記プラテン層の音響インピーダンスとの幾何平均に略等しい音響インピーダンスを有し、
前記超音波の反射を受信するための手段および前記指にハプティックフィードバックを与えるための手段が互いに機械的に結合されている、超音波ボタン。
【請求項１７】
前記プラテン層の音響インピーダンスを圧電受信機層の音響インピーダンスと整合させるための手段をさらに備える請求項１６に記載の超音波ボタン。
【請求項１８】
ユーザを認証するために、前記反射波を使用して前記指の指紋画像情報を生成するための手段と、
前記指紋画像情報を、登録、認証、認証されたユーザへの処方された薬剤の送達、またはボタン機能の実行に使用するための手段とをさらに備える請求項１６に記載の超音波ボタン。